(57)【特許請求の範囲】
【請求項１】
透光性の表示パネルと、この表示パネルの内面に配置され端面より入射した光を前面より出射して前記表示パネルの内面に入射する導光板と、この導光板の前記端面に配置されて前記端面に光を入射する光源と、前記導光板の背面に配置されて前記背面より出射する光を前記背面に反射する反射面部材と、前記光源の背面に被さり前記光源の光を前記端面に反射する反射板と、前記表示パネルの前記光源側の端部に連続して配置される前面板を有するとともに前記反射板および前記光源を保持するランプホルダとを備え、
前記反射板の両側縁部と前記導光板の前記端面との間に放熱用のクリアランスを有し、
前記前面板側の前記クリアランスを通して漏れる前記光源の光が前記前面板の内面に入射するように前記前面板と前記表示パネルとの境界が前記導光板の前記前面上に位置し、
前記光源の光が前記クリアランスを通過して前記前面板の内面に入射しその反射光が前記導光板を透過し前記反射面部材を反射して前記導光板を再度透過しかつ前記表示パネルを透過する光路上において、前記前面板の内面もしくは前記導光板の前記前面または前記反射面部材の表面に配置されて、前記光源の光を前記表示パネルの前記光路上の位置の色と同系色に変換することにより、前記光路上の前記表示パネルに表れるランプイメージを前記表示パネルの前記色と同系色にするフィルタを有する表示装置。
【請求項２】
透光性の表示パネルと、この表示パネルの内面に配置され端面より入射した光を前面より出射して前記表示パネルの内面に入射する導光板と、この導光板の前記端面に配置されて前記端面に光を入射する光源と、前記導光板の背面に配置されて前記背面より出射する光を前記背面に反射する反射面部材と、前記光源の背面に被さり前記光源の光を前記端面に反射する反射板と、前記表示パネルの前記光源側の端部に連続して配置される前面板を有するとともに前記反射板および前記光源を保持するランプホルダとを備え、
前記反射板の両側縁部のうち前記導光板の前記前面側の側縁部は前記導光板の前記前面上に延出する延出部を有し、前記導光板の背面側の側縁部は前記導光板の前記端面との間に放熱用のクリアランスを有し、
前記光源の光が前記延出部に入射しその反射光が前記導光板を透過し前記反射面部材を反射して前記導光板を再度透過しかつ前記表示パネルを透過する光路上において、前記延出部に配置されて、前記光源の光を前記表示パネルの前記光路上の位置の色と同系色に変換することにより、前記光路上の前記表示パネルに表れるランプイメージを前記表示パネルの前記色と同系色にするフィルタを有する表示装置。
【発明の詳細な説明】
【技術分野】
【０００１】
この発明は、誘導灯や表示灯などの表示装置に関するものである。
【背景技術】
【０００２】
従来例を図９に示す。光源７０から出た光は、直接あるいは反射板７１で反射されて導光板７２の端面７３より入射する。これらの光は導光板７２の前面７４および背面７５にあたっても全反射を繰り返し、導光板７２の内部を下方へと導光する。そして背面７５に形成された例えば微細溝加工などによる反射手段７６によりその向きを変え、導光板７２の前面７４を透過して表示パネル７７の内面を照射する。導光板７２の背面７５から抜け出た光は反射シート７８により反射され再び導光板７２の中に入る。
【特許文献１】特開平１１−１７６２２２号公報
【発明の開示】
【発明が解決しようとする課題】
【０００３】
しかしながら、この従来例は、導光板７２の幅より広い内寸法の反射板７１が導光板７２の端面７３に配置されており、反射板７１と導光板７２との間にクリアランス７９があった。光源７０からの直接光および反射板７１からの間接光はこのクリアランス７９を通過し、ランプホルダ８０の前面板８１の内面を照射する。前面板８１の内面に照射された光は導光板７２を透過し反射シート７８を照射する。この反射シート７８に照射された光が、再び導光板７２を透過して表示パネル７７の内面に入射するので、表示パネル７７の前面から見た場合にランプイメージ８２として明るく見えていた。なお導光板７２の背面側のクリアランスを通る光は反射シート７８に入射し、導光板７２に反射する。  
【０００４】
ランプイメージ８２を防止する改善案として、図１０に示すように導光板７２に反射板７１を覆い被せてクリアランスをなくすことも考えられるが、光源７０の放熱、および反射板７１が導光板７２の端面７３に嵌合する部分の製造上の寸法設定の難しさが、課題となった。
【０００５】
したがって、この発明の目的は、上記の問題点を解決し、ランプイメージをなくし均整度の高い表示面を提供することができる表示装置を提供することである。
【課題を解決するための手段】
【０００６】
この発明の表示装置は、透光性の表示パネルを有する。導光板は表示パネルの内面に配置され端面より入射した光を前面より出射して前記表示パネルの内面に入射する。光源は前記導光板の前記端面に配置されて前記端面に光を入射する。反射面部材は前記導光板の背面に配置されて前記背面より出射する光を前記背面に反射する。反射板は前記光源の背面に被さり前記光源の光を前記端面に反射する。ランプホルダは前記表示パネルの前記光源側の端部に連続して配置される前面板を有するとともに前記反射板および前記光源を保持する。そして前記反射板の両側縁部と前記導光板の前記端面との間に放熱用のクリアランスを有する。前記前面板側の前記クリアランスを通して漏れる前記光源の光が前記前面板の内面に入射するように前記前面板と前記表示パネルとの境界が前記導光板の前記前面上に位置する。前記光源の光が前記クリアランスを通過して前記前面板の内面に入射しその反射光が前記導光板を透過し前記反射面部材を反射して前記導光板を再度透過しかつ前記表示パネルを透過する光路上において、フィルタが前記前面板の内面もしくは前記導光板の前記前面または前記反射面部材の表面に配置される。このフィルタは、前記光源の光を前記表示パネルの前記光路上の位置の色と同系色に変換することにより、前記光路上の前記表示パネルに表れるランプイメージを前記表示パネルの前記色と同系色にする。
【０００７】
この発明の別の表示装置は、透光性の表示パネルを有する。導光板は表示パネルの内面に配置され端面より入射した光を前面より出射して前記表示パネルの内面に入射する。光源は導光板の前記端面に配置されて前記端面に光を入射する。反射面部材は前記導光板の背面に配置されて前記背面より出射する光を前記背面に反射する。反射板は前記光源の背面に被さり前記光源の光を前記端面に反射する。ランプホルダは前記表示パネルの前記光源側の端部に連続して配置される前面板を有するとともに前記反射板および前記光源を保持する。そして前記反射板の両側縁部のうち前記導光板の前記前面側の側縁部は前記導光板の前記前面上に延出する延出部を有し、前記導光板の背面側の側縁部は前記導光板の前記端面との間に放熱用のクリアランスを有する。前記光源の光が前記延出部に入射しその反射光が前記導光板を透過し前記反射面部材を反射して前記導光板を再度透過しかつ前記表示パネルを透過する光路上において、フィルタが前記延出部に配置される。このフィルタは、前記光源の光を前記表示パネルの前記光路上の位置の色と同系色に変換することにより、前記光路上の前記表示パネルに表れるランプイメージを前記表示パネルの前記色と同系色にする。
【発明の効果】
【０００９】
この発明の表示装置によれば、導光板の端面と反射板の側縁部とのクリアランスを通過して表示パネルに至る光路に制御部材を設け、その光路をもつ光により表示パネルにランプイメージが表れないように、その光の色あいおよび光量の少なくとも一方を制御する、たとえば表示パネルに入射する位置の表示パネルの色と同系色の光色に制御するため、表示パネルの光源近傍のランプイメージを無くし、均整度の高い表示面を提供することができる。
【００１０】
制御部材を透過性のフィルタとすることで、表示パネルの輝度を低下させずかつ均整度の高い表示面を提供することができる。
【発明を実施するための最良の形態】
【００１１】
この発明の第１の実施の形態の誘導灯を図１から図４により説明する。すなわち、器具本体１は前面に開口１ａのある直方体状の箱形である。内部には点灯ブロック２と蓄電池３とランプソケット４を収納し、これらの相互間は点灯回路を形成するように配線されている。
【００１２】
表示ユニット５は、器具本体１の左右幅に略等しい左右幅を有し、器具本体１の上下幅よりも小さな上下幅を有する直方形状を有して、器具本体１の開口１ａに嵌合する。表示ユニット５は、表示パネル６と、表示パネル６の裏面に配置した導光板７と、導光板７の裏側に間隔をおいてまたは接触させて配置された反射面部材である反射シート８と、反射シート８の裏面側に位置するパネルケース９とを有する。表示パネル６は拡散性および透過性を有し、表面に表示面６ａを形成し、表示面６ａの背景色（地色）は例えば緑色に着色されている。表示パネル６の両側にパネルケース９の両側に被さる側板６ｂを有し、側板６ｂに連結部として切欠き穴部６ｃを設け、パネルケース９の両側に切欠き穴部６ｃが通るつまみねじ１０を螺設し、つまみねじ１０で表示パネル６をパネルケース９に連結している。導光板７と反射シート８を表示パネル６とパネルケース９の間に配置して、切欠き穴部６ｃをつまみねじ１０に通してつまみねじ１０をパネルケース９にねじ込むことにより側板６ｂを締めつけて、表示パネル６をパネルケース９に連結するとともに表示パネル６とパネルケース９の間に導光板７および反射シート８を収納保持している。またパネルケース９の両側に係合部として突起１１を設け、これに対応して器具本体１の開口１ａの内側に係止部として係止爪１２を設け、表示ユニット５を器具本体１の開口１ａの上端寄りの位置に挿入してパネルケース９の裏面側を係止爪１２に載せると、突起１１が係止爪１２の裏面側に位置するので、表示ユニット５を器具本体１の下端に向けてスライドすれば（図示矢印）、表示ユニット５の下端部が器具本体１の開口１ａの縁部に係止するとともに、突起１１を係止爪１２の裏面側に係止して表示ユニット５が開口１１ａから外れない状態となる。
【００１３】
ランプユニット１２は、ランポホルダ１３と、光源である例えば直管形のランプ１４と、ランプ１４の背面側を覆う例えば断面略逆Ｕ字形の反射板１５とを有する。ランプ１４および反射板１５はランプホルダ１３に保持され、ランプホルダ１３の両端にランプ１４の電極に接続された接続端子１６を有し、接続端子１６がランプソケット４に装着されて電気的に接続されるとともに器具本体１にランプホルダ１３が保持される。このとき、ランプユニット１２は器具本体１の開口１ａの表示ユニット５で閉じられた残りの上部スペースを覆っている。すなわち、表示ユニット５とランプユニット１２とを合わせた外周形状が器具本体１において開口１ａを囲む部位の外周形状に沿っている。これによって、表示ユニット５の突起１１が係止爪１２に沿ってランプユニット１２側にスライドするのを阻止し、ランプユニット１２を外さない限り、表示ユニット５が器具本体１から外れるのを防止する。この場合、ランプホルダ１３の前面板１３ａと表示パネル６はほぼ面一に連続するように相接触している。
【００１４】
またランプユニット１２のランプ１４と導光板７の入射面となる上端面７ａとが対向し、反射板１５はランプ１４の背面側に配置されるが、両側縁部１５ａ、１５ｂは導光板７の幅よりも広い内寸法を有して導光板７の上部に配置されており、そのため反射板１５の両側縁部１５ａ、１５ｂは導光板７の上端面７ａとクリアランスＨをおいて位置している。したがって、ランプ１４を点灯すると、例えば矢印のような種々の光路を通って表示パネル６に照射される。すなわち、ランプ１４の直接光または反射板１５による間接光が、導光板７の上端面７ａに入射し、その一部が導光板７内を全反射して導光板７のランプ１４と反対側端部に導かれながら、一部が導光板７の前面７ｂを全反射せずに透過し、あるいは導光板７の背面側の反射手段１７を反射して前面７ｂを透過し、あるいは導光板７の背面側を透過して反射シート８を反射して再び導光板７に入射し、導光板７の前面７ｂより表示パネル６を照射する。
【００１５】
制御部材は例えば表示パネル６と同系色の色をもつ透光性のフィルタ１８であり、導光板７のランプ側端面近傍のパネルケース９側の、反射シート８の上部すなわちランプ側端部の前面にランプ１４と平行に貼付されて設けられている。このため、フィルタ１８の透過光は表示パネル６と同系色、この場合緑色となる。このフィルタ１８は、ランプ１４からの直接光または反射板１５からの間接光が反射板１５と導光７板との間のクリアランスＨを通過し、ランプホルダ１３の前面板１３ａの内面を照射し、その反射光が導光板７を透過して反射シート８を反射し、再び導光板７を透過して表示パネル６に入射する光路Ｌに沿った光を制御するものである。そしてこの光路Ｌに沿った光は、表示パネル６と同系色のフィルタ１８を透過するため、緑色に制御されて反射シート８を反射し、導光板７を透過して表示パネル６に照射する。この光路Ｌに沿う光は表示パネル６の上端部すなわちランプ側に近い部位に入射するが、表示パネル６のランプ側の色である緑色と同系色であるため、ランプイメージとして明るく見えることはない。また透過性のフィルタ１８を透過した光は反射率の高い反射シート８により反射されるため光量の低下も少ない。さらに点灯時あるいは消灯時にフィルタ１８が部材イメージとして表示パネル６にうつって見えることもない。そのため、表示パネル６の上部のランプイメージをなくし、表示パネル６の輝度の低下も最小限に抑えられ、均整度の高い表示面を提供することができる。なお、反射板１５の側縁部１５ｂと導光板７の上端面７ａとの間のクリアランスを通過する光は、反射シート８もしくは反射シート８のフィルタ１８に入射する。あるいはパネルケース９の反射シート８側の面に入射させてもよい。
【００１６】
この発明の第２の実施の形態を図５により説明する。すなわち、第１の実施の形態と比較して、フィルタ１８を光路Ｌに交差する位置のランプホルダ１３の前面板１３ａの下部に貼付した点が相違する。その他の構成は第１の実施の形態と同様である。
【００１７】
この場合、クリアランスＨを通過した光は表示パネル６と同系色のフィルタ１８を透過し、ランプホルダ１３の内面を反射し、再びフィルタ１８を透過し導光板７に入射する。このとき、フィルタ１８より導光板７に入射する光は表示パネル６と同系の色の光であるので、導光板７を透過し、反射シート８を反射し再び導光板７を透過して表示パネル６に入射する光は、表示パネル６の前面から見た場合にはランプイメージとして明るく見えることはない。また透過性のフィルタ１８のため透過した光は前面板１３ａの内面により反射されるので光量の低下も少ない。その他第１の実施の形態と同様な作用効果がある。
【００１８】
この発明の第３の実施の形態を図６により説明する。すなわち、第２の実施の形態と異なる点は、前面板１３ａに近い反射板１５の一側縁部１５ａに前面板１３ａと導光板７との間に延出する延出部１９を形成し、その延出部１９の内側にフィルタ１８を貼付している。この場合、クリアランスＨを通過する光路Ｌの光はフィルタ１８を透過した後、前面板１３ａの内面を照射することなく反射板１５の延出部１９の内面で反射し、再びフィルタ１８を透過して導光板７に入射し、以後は光路Ｌに沿って表示パネル６に入射する。その他は第２の実施の形態と同様である。
【００１９】
この発明の第４の実施の形態を図７により説明する。すなわち、第１の実施の形態と比較して、フィルタ１８が導光板７の上部にランプ１４と平行に貼り付けられている点が相違する。この場合、前面板１３ａの内面に照射された光は導光板７に貼り付けられた、表示パネル６と同系色のフィルタ１８を透過して導光板７を透過し、反射シート８を照射したのち導光板７を通して表示パネル６に入射する。反射シート８に照射された光は表示パネル６と同系色のフィルタ１８を透過しているため、表示パネル６の前面からみた場合にはランプイメージとして明るく見えることはない。また透過性のフィルタ１８のため透過した光は反射率の高い反射シート８により反射されるので光量の低下も少ない。
【００２０】
その他は第１ないし第３の実施の形態と同様である。なお、導光板７の上端面７ａから内部に入った有効な光が導光板７に貼り付けたフィルタ１８に吸収され、第１の実施の形態と比較して表示パネル６の表示面の輝度は若干量すなわち、３〜５％程度低下するが表示に影響はない。
【００２１】
図８は各実施の形態の制御部材の光路Ｌ上の位置と制御部材の色の関係を示し、結果は×印、三角印、白丸印、二重丸印の順に次第に良好であることを示す。この図から明らかなように、フィルタ１８を反射シート８に貼る場合はフィルタ１８は表示パネル６と同系色の色でないと、点灯時および消灯時ともフィルタ１８の色が浮きでてしまう。導光板７に貼る場合はランプイメージおよび部材イメージともに問題ないが、輝度が大幅に低下する。この場合、誘導灯のときは輝度が重視されるので総合評価は三角となるが、一般の表示灯で輝度が関係なければ二重丸となり、輝度が問題とならない器具であれば実施可能である。
【００２２】
またランプホルダ１３および反射板１５に貼る場合の効果は、反射シート８に貼る場合の効果と導光板７に貼る場合の効果の中間くらいの効果である。
【００２３】
なお、ランプユニット１２は表示パネル６の上端側に限らず、表示パネル６の下端側、右側または左側に配置されてもよい。また反射面部材は拡散板による拡散性の反射も可能である。制御部材は透過光を制御したが、反射性を有するものにして反射光を制御するものでもよい。またこれらの透過光または反射光の光量を制御することによってもランプイメージを抑制することができるので、色あいおよび光量の少なくとも一方を制御するものであればよい。
【図面の簡単な説明】
【００２４】
【図１】この発明の第１の実施の形態の表示装置の要部拡大断面図である。
【図２】表示装置全体の分解斜視図である。
【図３】表示ユニットの分解斜視図である。
【図４】表示装置の断面図である。
【図５】第２の実施の形態の要部拡大断面図である。
【図６】第３の実施の形態の要部拡大断面図である。
【図７】第４の実施の形態の要部拡大断面図である。
【図８】制御部材の位置と色の関係を示す図である。
【図９】（ａ）は従来例の断面図、（ｂ）はその部分拡大図、（ｃ）は正面図である。
【図１０】（ａ）は従来例の改善例の断面図、（ｂ）はその部分拡大図である。
【符号の説明】
【００２５】
１    器具本体
１ａ    開口
６    表示パネル
７    導光体
７ａ    上端面
７ｂ    前面
８    反射シート
１３    ランプホルダ
１３ａ  前面板
１４    ランプ
１５    反射板
１５ａ  側縁部
１８    フィルタ
Ｈ    クリアランス
Ｌ    光路
【図１】
0004788345.tif 000002
【図２】
0004788345.tif 000003
【図３】
0004788345.tif 000004
【図４】
0004788345.tif 000005
【図５】
0004788345.tif 000006
【図６】
0004788345.tif 000007
【図７】
0004788345.tif 000008
【図８】
0004788345.tif 000009
【図９】
0004788345.tif 000010
【図１０】
0004788345.tif 000011